(57)【要約】【課題】  熱源から出た光線による構造部材の過熱を抑制できる加湿装置を提供する。【解決手段】  加湿装置は、蒸発皿６と、ランプヒータ５と、反射板７とを備えている。蒸発皿６は、水を貯留する。ランプヒータ５は、水を水面の上方から加熱する。反射板７は、ランプヒータ５から放射される光を反射する。反射板７における光を反射する光反射部の下端は、ランプヒータ５の発光面と蒸発皿６の喫水線の端部との間を結ぶ線よりも内側にある。【選択図】      図２
2006284148.tif 000002
【特許請求の範囲】
【請求項１】
水を貯留する蒸発皿（６）と、
前記水を水面の上方から加熱するランプヒータ（５）と、
前記ランプヒータ（５）から放射される光を反射する反射板（７）と、
を備えており、
前記反射板（７）における光を反射する光反射部（７ａ）の下端（２１）は、前記ランプヒータ（５）の発光部（５ａ）と前記蒸発皿（６）の喫水線の端部との間を結ぶ線（Ｐ）よりも内側にある、
加湿装置。
【請求項２】
前記光反射部（７ａ）の下端（２１）は、前記ランプヒータ（５）の発光部（５ａ）と前記喫水線の端部との間を結ぶ線（Ｐ）よりも１〜１０ｍｍ内側にある、
請求項１に記載の加湿装置。
【請求項３】
前記反射板（７）は、金属薄板からなり、前記光反射部（７ａ）の下端（２１）において折り曲げられている、
請求項１または２に記載の加湿装置。
【請求項４】
前記反射板（７）は、前記光反射部（７ａ）の下端（２１）を構成する遮蔽手段を有している、
請求項１から３のいずれかに記載の加湿装置。
【発明の詳細な説明】
【技術分野】
【０００１】
本発明は、加湿装置に関する。さらに詳しくは、本発明は、水面加熱方式の加湿装置に関する。
【背景技術】
【０００２】
従来から知られている水面加熱方式の加湿装置は、ランプヒータおよび反射板が蒸発皿の上方に配置された構成を有している。このような加湿装置では、ランプヒータから放射された光線は、直接に、または反射板で反射して、水面を上方から照射している（特許文献１参照）。
【特許文献１】実開平５−４２９４５公報
【発明の開示】
【発明が解決しようとする課題】
【０００３】
しかし、上記のような水面加熱方式の加湿装置では、ランプヒータから出た光線が水面以外の部分である加湿装置の構造部材にまで照射してしまうので、構造部材が過熱されるおそれがある。
本発明の課題は、熱源から出た光線による構造部材の過熱を抑制できる加湿装置を提供することにある。
【課題を解決するための手段】
【０００４】
第１発明の加湿装置は、蒸発皿と、ランプヒータと、反射板とを備えている。蒸発皿は、水を貯留する。ランプヒータは、水を水面の上方から加熱する。反射板は、ランプヒータから放射される光を反射する。反射板における光を反射する光反射部の下端は、ランプヒータの発光部と蒸発皿の喫水線の端部との間を結ぶ線よりも内側にある。
ここでは、光反射部の下端は、ランプヒータの発光部と喫水線の端部とを結ぶ線よりも内側に位置している。したがって、ランプヒータから出た光線が喫水線の上にある加湿装置の構造部材に照射されることが抑えられる。
【０００５】
第２発明の加湿装置は、第１発明の加湿装置であって、光反射部の下端は、ランプヒータの発光部と喫水線の端部との間を結ぶ線よりも１〜１０ｍｍ内側にある。
ここでは、光反射部の下端が、ランプヒータの発光部と喫水線の端部とを結ぶ線よりも１〜１０ｍｍ内側に位置しているので、ランプヒータから出た光線は、喫水線の上にある加湿装置の構造部材に直接照射されることがなく、しかも、喫水線の端部付近の水面まで照射される。
【０００６】
第３発明の加湿装置は、第１発明または第２発明の加湿装置であって、反射板が金属薄板からなる。反射板は、光反射部の下端において折り曲げられている。
ここでは、金属薄板を折り曲げて反射板を製造することにより、光反射部の下端がランプヒータの発光部と喫水線の端部とを結ぶ線よりも内側に位置するように、反射板は容易に製造される。
【０００７】
第４発明の加湿装置は、第１発明から第３発明のいずれかの加湿装置であって、反射板は、遮蔽手段を有する。遮蔽手段は、光反射部の下端を構成する。
ここでは、光反射部の下端を構成する遮蔽手段をさらに備えているので、遮蔽手段がランプヒータの発光部と喫水線の端部とを結ぶ線よりも内側に位置することによって、ランプヒータから出た光線が喫水線の上にある加湿装置の構造部材に照射されることを抑制できる。
【発明の効果】
【０００８】
第１発明によれば、ランプヒータから出た光線が喫水線の上にある加湿装置の構造部材に照射することを抑制し、それによって構造部材が過熱されることを抑制することができる。
第２発明によれば、ランプヒータから出た光線が喫水線の上にある加湿装置の構造部材に照射することを抑制するとともに、光線を喫水線の端部付近の水面まで照射することができる。
【０００９】
第３発明によれば、光反射部の下端がランプヒータの発光部と喫水線の端部とを結ぶ線よりも内側に位置するように、反射板を容易に製造することができる。
第４発明によれば、ランプヒータから出た光線が喫水線の上にある加湿装置の構造部材に照射することを遮蔽手段によって抑制し、それによって構造部材が過熱されることを抑制することができる。
【発明を実施するための最良の形態】
【００１０】
つぎに図面を参照しながら、本発明の加湿装置についてさらに詳細に説明する。図１は、本発明の実施形態に係わる加湿機能付き空気清浄機の部分分解斜視図である。図２は、図１の蒸気発生部の縦断面図である。図３は、図２の蒸発皿と反射板カバーとで形成された空間の内部を示す断面図である。
＜全体構成＞
図１〜図３に示される加湿機能付き空気清浄機１は、室内の空気清浄および加湿を行うものであり、空気清浄部２と、蒸気発生部３とを備えている。この空気清浄機１では、ケース４の内部に、空気清浄部２のファンおよびフィルタユニット（いずれも図示せず）が収納されている。
蒸気発生部３は、ケース４の背後に取り付けられている。蒸気発生部３は、ランプヒータ５および蒸発皿６を有している。
【００１１】
＜蒸気発生部３の構成＞
蒸気発生部３は、図１〜図３に示されるように、ランプヒータ５と、蒸発皿６と、反射板７とを主要部として備えている。蒸気発生部３で発生された蒸気は、空気清浄部２から送られる空気と合流してダクト８を通して上昇し、蒸気排出口９を通して外部へ排出される。蒸気発生部３は、背面カバー１０およびタンクカバー１１によって覆われている。背面カバー１０は、蒸発皿６をメンテナンスするときなどに取り外される。
【００１２】
ランプヒータ５は、棒状の赤外線ランプから構成されている。ランプヒータ５から照射される赤外線Ｒ（図２参照）は、蒸発皿６に貯留される水Ｗを水面の上方から加熱して蒸気を発生させる。
なお、赤外線Ｒは、図２において２本の二点鎖線で示されているが、赤外線Ｒの照射領域は、２本の二点鎖線で囲まれた領域である。
【００１３】
蒸発皿６は、金属製の皿であり、たとえば、アルミニウムを用いたダイキャスト成形により製造された皿である。蒸発皿６は、連結管１２を介して貯水タンク１３と連通されている。なお、蒸発皿６の外周面は、遮熱材によって覆われている。図１に示されるように、蒸発皿６は、反射板カバー１４の下側の空間１６へ空気清浄機１の背後から挿入することによって着脱自在に装着することができる。
【００１４】
反射板７は、ランプヒータ５の上方に配置され、ランプヒータ５から放射される赤外線Ｒを蒸発皿６の水Ｗへ向けて反射させる。
反射板７は、ランプヒータ５から出た赤外線Ｒが喫水線Ｌの上にある蒸気発生部３の構造部材、例えば反射板カバー１４やパッキン１５または蒸発皿６の側壁６ａなどに照射されないように、反射板７の赤外線Ｒを反射する光反射部７ａの下端２１が、ランプヒータ５の発光面５ａと喫水線Ｌの端部Ｌ１、Ｌ２とを結ぶ線Ｐよりも内側（具体的にいえば、２本の線Ｐに囲まれた領域の内側）に位置している。
【００１５】
また、光反射部７ａの下端２１は、ランプヒータ５から出た赤外線Ｒが喫水線Ｌの上にある反射板カバー１４やパッキン１５または蒸発皿６の側壁６ａなどに直接照射されることがなく、かつ、喫水線Ｌの端部Ｌ１、Ｌ２の水面まで赤外線Ｒが照射されるように、ランプヒータ５の発光面５ａと喫水線Ｌの端部Ｌ１、Ｌ２とを結ぶ線Ｐよりも１〜１０ｍｍ（好ましくは１〜５ｍｍ、さらに好ましくは１〜３ｍｍ程度）内側に位置している。すなわち、下端２１から線Ｐに引いた垂線の長さが１〜１０ｍｍ（好ましくは１〜５ｍｍ、さらに好ましくは１〜３ｍｍ程度）である。
【００１６】
反射板７は、金属薄板を折り曲げることによって一体形成されている。光反射部７ａの下端２１は、下方へ突出するように反射板７の下端２１において折り曲げられている。
また、反射板７の外側は、合成樹脂製の反射板カバー１４によって覆われている。反射板カバー１４と蒸発皿６とによって閉ざされた空間は、反射板７によって上下に仕切られている。したがって、反射板７の下方には第１空間Ｓ１が形成され、上方には第２空間Ｓ２が形成されている。反射板カバー１４は、ケース４から清浄化された空気を反射カバー１４の内部へ導入する連通口１７を有している。また、反射板カバー１４の下部には、シリコーン樹脂製のパッキン１５が設けられている。
【００１７】
＜空気清浄機１の動作説明＞
図１〜図３に示されるように、加湿機能付き空気清浄機１では、加湿空気を部屋へ供給するときに、蒸気発生部３のランプヒータ５が点灯される。ランプヒータ５から放射される赤外線Ｒは、直接に、または反射板７から反射して、蒸発皿６に貯留される水Ｗの水面に照射され、水Ｗを水面の上方から加熱して蒸気を発生させる。
光反射部７ａの下端２１がランプヒータ５の発光面５ａと喫水線Ｌの端部Ｌ１、Ｌ２とを結ぶ線Ｐよりも内側に位置しているので、ランプヒータ５から出た赤外線Ｒは、喫水線Ｌの上にある蒸気発生部３の構造部材である反射板カバー１４やパッキン１５または蒸発皿６の側壁６ａに照射されない。そのため、これらの部材が過熱されるおそれがない。
とくに、金属製の蒸発皿６の側壁６ａに赤外線Ｒが照射されないので、蒸発皿６の内壁６ａが過熱されるおそれ、および過熱された蒸発皿６の内壁６ａからの熱伝導による反射板カバー１４やパッキン１５の過熱のおそれもない。
【００１８】
空気清浄機１の内部では、以下のように空気が流れる。図１〜図３に示されるように、空気清浄部２によって清浄化された空気の一部は、反射板カバー１４およびダクト８へ導入される。反射板カバー１４に導入される空気は、まず、図２および図３に示されるように、空気清浄機１のケース４から反射板カバー１４の連通口１７を通って、第２空間Ｓ２へと流れてくる（図３の矢印Ａ２１参照）。この空気は、第２空間Ｓ２を右から左へと流れる（図３の矢印Ａ２２参照）。このときに、反射板７から熱が奪われ、空気が暖められる。すなわち、反射板７は、冷却される。そして、第２空間Ｓ２の左端に達した空気は、上下連通部１８を通って下方の第１空間Ｓ１へと降りる（図３の矢印Ａ２３，Ａ２４参照）。反射板７によって暖められた空気は、ランプヒータ５が配置される水Ｗの上方の第１空間Ｓ１を左から右へと流れ、蒸発皿６内の水Ｗの蒸発を促進させる。そして、第１空間Ｓ１の右端に達した蒸気を含んだ空気は、反射板７に形成された蒸気排出口２２から接続管１９へと流れていく（図３の矢印Ａ２５参照）。蒸気を含んだ空気は、接続管１９に接続されたダクト８（図１参照）の内部を上昇するときに、ケース４からダクト８へ導入される冷却用の清浄空気の流れと合流して冷却され、冷却された蒸気を含んだ空気が蒸気排出口９を通して外部へ排出される。
【比較例】
【００１９】
図４に示されるように、本発明の加湿装置の比較例である蒸気発生部３３は、従来の加湿装置と同様に、ランプヒータ５の上方に反射板３７が配置されている。この蒸気発生部３３では、反射板３７における光を反射する光反射部３７ａの下端３８が、ランプヒータ５の発光面５ａと喫水線Ｌの端部Ｌ１、ｌ２とを結ぶ線Ｐよりも外側に位置している。したがって、ランプヒータ５から出た赤外線Ｒは、喫水線Ｌの上にある蒸気発生部３の構造部材である反射板カバー１４やパッキン１５または蒸発皿６の側壁６ａに照射される。
たとえば、図４に示されるように、ランプヒータ５から出た赤外線Ｒは、喫水線Ｌの上にある反射板カバー１４およびパッキン１５に直接照射されることによって、反射板カバー１４およびパッキン１５がそれぞれの耐熱温度まで過熱されるおそれがある。また、ランプヒータ５から出た赤外線Ｒは、喫水線Ｌの上にある金属製の蒸発皿６の側壁６ａに照射されることによって、蒸発皿６の側壁６ａが過熱され、側壁６ａから反射板カバー１４やパッキン１５に熱が伝導することによって、反射板カバー１４やパッキンが耐熱温度まで過熱されるおそれもある。
【００２０】
〔実施形態の特徴〕
（１）
本実施形態では、蒸気発生部３における反射板７の光を反射する光反射部７ａの下端２１は、ランプヒータ５の発光面５ａと喫水線Ｌの端部Ｌ１、Ｌ２とを結ぶ線Ｐよりも内側に位置している。したがって、ランプヒータ５から放射された赤外線Ｒは、喫水線Ｌの上にある反射板カバー１４やパッキン１５または蒸発皿６の側壁６ａに照射されない。そのため、反射板カバー１４やパッキン１５または蒸発皿６の側壁６ａが過熱されるおそれがない。
（２）
本実施形態では、光反射部７ａの下端２１が、ランプヒータ５の発光面５ａと喫水線Ｌの端部Ｌ１、Ｌ２とを結ぶ線Ｐよりも１〜１０ｍｍ内側に位置しているので、ランプヒータ５から照射された赤外線Ｒは、喫水線Ｌの上にある反射板カバー１４やパッキン１５または蒸発皿６の側壁６ａに照射されず、かつ、喫水線Ｌの端部Ｌ１、Ｌ２付近の水面まで照射される。
（３）
本実施形態では、反射板７は、金属薄板からなり、光反射部７ａの下端２１において折り曲げられている。したがって、金属薄板を折り曲げて反射板７を製造することにより、光反射部７ａの下端２１がランプヒータ５の発光面５ａと喫水線Ｌの端部Ｌ１、Ｌ２とを結ぶ線Ｐよりも内側に位置するように、反射板７を容易に製造することができる。
また、反射板７における下端２１から反射板カバー１４に向かって延びる部分２３（図２参照）が第２空間Ｓ２を通る空気により冷却されるので、反射板７を支持する部分の耐熱温度を下げることができる。
【００２１】
〔実施形態の変形例〕
上記の実施形態では、反射板７は金属薄板により一体形成されているが、本発明はこれに限定されるものではなく、光反射部７ａの下端２１は、反射板７と別部材である遮蔽手段で形成されてもよい。この場合、遮蔽手段がランプヒータ５の発光面５ａと喫水線Ｌの端部Ｌ１、Ｌ２とを結ぶ線Ｐよりも内側に位置するので、ランプヒータ５から出た赤外線Ｒが喫水線Ｌの上にある蒸気発生部３の構造部材に照射することを抑制し、構造部材を過熱することが抑制される。
【産業上の利用可能性】
【００２２】
本発明は水面加熱方式の加湿装置であれば種々の態様に適用される。したがって、本実施形態のように、加湿機能付き空気清浄機の蒸気発生部に本発明を適用するだけでなく、加湿機能専用の加湿器であっても本発明を適用することは可能である。
【図面の簡単な説明】
【００２３】
【図１】本発明の加湿装置の実施形態に係わる加湿機能付き空気清浄機の部分分解斜視図。
【図２】図１の蒸気発生部の縦断面図。
【図３】図２の蒸発皿と反射板カバーとで形成された空間の内部を示す断面図。
【図４】本発明の比較例である水面加熱方式の蒸気発生部の縦断面図である。
【符号の説明】
【００２４】
１  加湿機能付き空気清浄機
２  空気清浄部
３  蒸気発生部
５  ランプヒータ
５ａ  発光面
６  蒸発皿
７  反射板
【図１】
2006284148.tif 000003
【図２】
2006284148.tif 000004
【図３】
2006284148.tif 000005
【図４】
2006284148.tif 000006